【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
ワイヤレスデバイスのプロセッサにより、好ましいネットワークの順序付きリストを検討して、第１の電気通信ネットワーク内の第１のセルサイトを選択し、
前記ワイヤレスデバイスと前記選択された第１のセルサイトとの間に第１の通信リンクを確立し、
前記ワイヤレスデバイスが第２の電気通信ネットワークの資源を使用することが許可されている地理的領域を識別するネットワーク情報を前記ワイヤレスデバイスにおいて受信し、
前記ワイヤレスデバイスが前記地理的領域にあるかどうかを判断し、
前記第１の電気通信ネットワーク内の第１の動的スペクトルコントローラ（ＤＳＣ）においてネットワーク情報を受信し、
前記第１のＤＳＣから、前記第１及び第２の電気通信ネットワーク外部の動的スペクトルポリシコントローラ（ＤＰＣ）に前記ネットワーク情報を送信し、
前記ＤＰＣから前記第２の電気通信ネットワーク内の第２のＤＳＣに前記ネットワーク情報を送信し、
前記受信したネットワーク情報に基づいて、且つ前記ワイヤレスデバイスが前記地理的領域にあるとの判断に応答して、前記ワイヤレスデバイスと前記第２の電気通信ネットワーク内の第２のセルとの間に第２の通信リンクを確立すること
を含む、動的スペクトルアービトラージ（ＤＳＡ）方法。
【請求項２】
ネットワーク情報を受信することは、前記第２の電気通信ネットワーク内の特定のクローズド加入者グループ（ＣＳＧ）又はハイブリッドセルを定義するＣＳＧ識別子を受信することを含む、請求項１に記載のＤＳＡ方法。
【請求項３】
前記ワイヤレスデバイスと前記選択された第１のセルサイトとの間に前記第１の通信リンクを確立することは、前記ワイヤレスデバイスのホームネットワークへの前記第１の通信リンクを確立することを含み、
前記受信したネットワーク情報に基づいて前記ワイヤレスデバイスと前記第２の電気通信ネットワーク内の前記第２のセルとの間に前記第２の通信リンクを確立することは、前記ワイヤレスデバイスの前記ホームネットワークとは異なる借主ネットワーク内のセルサイトへの前記第２の通信リンクを確立することを含む、請求項１に記載のＤＳＡ方法。
【請求項４】
ネットワーク情報を受信することは、システム情報ブロック（ＳＩＢ）情報を受信することを含む、請求項１に記載のＤＳＡ方法。
【請求項５】
受信したネットワークに基づいて前記ワイヤレスデバイスと前記第２の電気通信ネットワーク内の前記第２のセルとの間に前記第２の通信リンクを確立することは、前記ワイヤレスデバイスと、同じ又は別のネットワークと関連付けられた別の無線アクセス技術（ＲＡＴ）との間に接続を確立することを含む、請求項１に記載のＤＳＡ方法。
【請求項６】
受信したネットワークに基づいて前記ワイヤレスデバイスと前記第２の電気通信ネットワーク内の前記第２のセルとの間に前記第２の通信リンクを確立することは、別の周波数帯で接続を確立することを含む、請求項１に記載のＤＳＡ方法。
【請求項７】
前記ワイヤレスデバイスは、ＤＳＡプロセスを使用してネットワークの適宜取得を促進するように構成されたデュアルＵＳＩＭを含む、請求項１に記載のＤＳＡ方法。
【請求項８】
前記第１のＤＳＣから前記ＤＰＣのプロセッサにおいて、無線周波数（ＲＦ）スペクトル資源への要求を受信し、
前記第２の電気通信ネットワーク内の割り当てに利用可能なＲＦスペクトル資源の量を特定し、
前記第２の電気通信ネットワークの利用可能なＲＦスペクトル資源の一部分を前記第１の電気通信ネットワークによるアクセス及び使用に動的に割り当て、
割り当てられたＲＦスペクトル資源の使用を開始し得ることを前記第１のＤＳＣに通知すること
をさらに含む、請求項１に記載のＤＳＡ方法。
【請求項９】
デバイスプロセッサを備えるワイヤレスデバイスと、
第１のＤＳＣプロセッサを備える第１の動的スペクトルコントローラ（ＤＳＣ）と
を備え、前記デバイスプロセッサは、
好ましいネットワークの順序付きリストを検討して、第１の電気通信ネットワーク内の第１のセルサイトを選択し、
前記選択された第１のセルサイトへの第１の通信リンクを確立し、
前記ワイヤレスデバイスが第２の電気通信ネットワークの資源を使用することが許可される特定の地理的領域を識別するネットワーク情報を前記ＤＳＣから受信し、
前記ワイヤレスデバイスが前記地理的領域にあるかどうかを判断し、
前記受信したネットワーク情報に基づいて、前記第２の電気通信ネットワーク内の第２のセルへの第２の通信リンクを確立すること
を含む動作を、プロセッサ実行可能命令を用いて実行するように構成され、
前記第１のＤＳＣプロセッサは、
前記ネットワーク情報を受信し、
前記第２の電気通信ネットワーク内の第２のＤＳＣに転送するために、前記第１及び第２の電気通信ネットワーク外部にある動的スペクトルポリシコントローラ（ＤＰＣ）に前記ネットワーク情報を送信すること
を含む動作を、プロセッサ実行可能命令を用いて実行するように構成される、動的スペクトルアービトラージ（ＤＳＡ）システム。
【請求項１０】
前記デバイスプロセッサは、ネットワーク情報を受信することが、前記第２の電気通信ネットワーク内の特定のクローズド加入者グループ（ＣＳＧ）又はハイブリッドセルを定義するＣＳＧ識別子を受信することを含むような動作を、プロセッサ実行可能命令を用いて実行するように構成される、請求項９に記載のＤＳＡシステム。
【請求項１１】
前記デバイスプロセッサは、
前記選択された第１のセルサイトへの前記第１の通信リンクを確立することが、前記ワイヤレスデバイスの前記ホームネットワーク内のセルサイトへの前記第１の通信リンクを確立することを含み、
前記受信したネットワーク情報に基づいて、前記第２の電気通信ネットワーク内の第２のセルへの第２の通信リンクを確立することが、前記ワイヤレスデバイスの前記ホームネットワークとは異なる借主ネットワーク内のセルサイトへの前記第２の通信リンクを確立することを含むような動作を、プロセッサ実行可能命令を用いて実行するように構成される、請求項９に記載のＤＳＡシステム。
【請求項１２】
前記デバイスプロセッサは、ネットワーク情報を受信することが、システム情報ブロック（ＳＩＢ）情報を受信することを含むような動作を、プロセッサ実行可能命令を用いて実行するように構成される、請求項９に記載のＤＳＡシステム。
【請求項１３】
前記デバイスプロセッサは、受信したネットワークに基づいて前記ワイヤレスデバイスと前記第２の電気通信ネットワーク内の前記第２のセルとの間に前記第２の通信リンクを確立することが、前記ワイヤレスデバイスと、同じ又は別のネットワークと関連付けられた別の無線アクセス技術（ＲＡＴ）との間に接続を確立することを含むような動作を、プロセッサ実行可能命令を用いて実行するように構成される、請求項９に記載のＤＳＡシステム。
【請求項１４】
前記デバイスプロセッサは、前記ワイヤレスデバイスと前記第２の電気通信ネットワーク内の前記第２のセルとの間に前記第２の通信リンクを確立することが、別の周波数帯で接続を確立することを含むような動作を、プロセッサ実行可能命令を用いて実行するように構成される、請求項９に記載のＤＳＡシステム。
【請求項１５】
前記ＤＰＣはＤＰＣプロセッサを含み、前記ＤＰＣプロセッサは、
前記第１のＤＳＣから無線周波数（ＲＦ）スペクトル資源への要求を受信し、
前記第２の電気通信ネットワーク内の割り当てに利用可能なＲＦスペクトル資源の量を特定し、
前記第２の電気通信ネットワークの利用可能なＲＦスペクトル資源の一部分を前記第１の電気通信ネットワークによるアクセス及び使用に動的に割り当て、
割り当てられたＲＦスペクトル資源の使用を開始し得ることを前記第１のＤＳＣに通知すること
を含む動作を、プロセッサ実行可能命令を用いて実行するように構成される、請求項９に記載のＤＳＡシステム。